(57)【要約】【課題】透析液の排液量を低減可能な透析液供給装置及び血液浄化システムを提供する。【解決手段】透析液を調製する透析液調製部２と、透析液調製部２が調製した透析液を貯留する貯槽３１を有する透析液送液部３と、貯槽３１内の液面高さが第１高さＬ１よりも低いときに透析液調製部２による透析液の調製を開始させ、貯槽３１内の液面高さが第１高さＬ１よりも高い第２高さＬ２以上となったとき透析液の調製を停止する制御部４と、を備え、制御部４は、所定の劣化判定条件を満たしたとき、貯槽３１内の透析液を強制排液する強制排液処理を行うように構成され、かつ、制御部４は、強制排液処理の後、貯槽３１内の液面高さが、第１高さＬ１より高く第２高さＬ２より低い液面高さとなるように、透析液調製部２に透析液を調製させる追加希釈処理を行うように構成されている。【選択図】図１
2020171403.tif 000002
【特許請求の範囲】
【請求項１】
供給された透析用水で透析液原液を希釈し透析液を調製する透析液調製部と、
前記透析液調製部が調製した透析液を貯留する貯槽を有する透析液送液部と、
前記貯槽内の液面高さが第１高さよりも低いときに前記透析液調製部による透析液の調製を開始させ、前記貯槽内の液面高さが前記第１高さよりも高い第２高さ以上となったとき透析液の調製を停止する制御部と、を備え、
前記制御部は、前記貯槽内の透析液の劣化を判定するための所定の劣化判定条件を満たしたとき、前記貯槽内の透析液を強制排液する強制排液処理を行うように構成され、
かつ、前記制御部は、前記強制排液処理の後、前記貯槽内の液面高さが、前記第１高さより高く前記第２高さより低い液面高さとなるように、前記透析液調製部に透析液を調製させる追加希釈処理を行うように構成されている、
透析液供給装置。
【請求項２】
前記制御部は、前記透析液の調製の停止からの経過時間が所定の閾値以上となったとき、前記劣化判定条件を満たしたと判定する、
請求項１に記載の透析液供給装置。
【請求項３】
前記制御部は、前記追加希釈処理を行った後に、前記強制排液処理が行われることなく前記貯槽内の液面高さが第１高さよりも低くなったとき、前記第２高さまで透析液を貯留するように前記透析液調製部を制御する、
請求項１または２に記載の透析液供給装置。
【請求項４】
前記制御部は、前記追加希釈処理を行った後に、再び前記強制排液処理が行われた場合、当該強制排液処理後に再び前記追加希釈処理を行う、
請求項１乃至３の何れか１項に記載の透析液供給装置。
【請求項５】
前記貯槽内の前記第１高さに液体が存在するかを検出可能な第１液面検知センサと、
前記貯槽内の前記第２高さに液体が存在するかを検出可能な第２液面検知センサと、を備え、
前記制御部は、前記第１液面検知センサが液体を検知しないときに前記透析液調製部による透析液の調製を開始させ、前記第２液面検知センサが液体を検知したときに前記透析液調製部による透析液の調製を停止させる、
請求項１乃至４の何れか１項に記載の透析液供給装置。
【請求項６】
前記制御部は、前記強制排液処理の際、前記第１液面検知センサで液体を検知しなくなるまで前記貯槽内の透析液を排出する、
請求項５に記載の透析液供給装置。
【請求項７】
供給される透析用水の流量を検出する給水流量計を備え、
前記制御部は、前記追加希釈処理の際、前記給水流量計が検出する流量に基づき、前記追加希釈処理の際に前記貯槽に貯留する透析液の量を制御する、
請求項１乃至６の何れか１項に記載の透析液供給装置。
【請求項８】
請求項１乃至７の何れか１項に記載の透析液供給装置と、
患者に透析治療を施すための血液浄化器に応じて複数設置され、前記透析液供給装置から供給された透析液を各血液浄化器に供給するための透析装置と、を備えた、
血液浄化システム。
【請求項９】
前記透析液供給装置は、前記各透析装置の稼働状況を検知できるように構成されており、
前記制御部は、前記透析装置の稼働台数が０台であるとき、透析液の調整を停止する、
請求項８に記載の血液浄化システム。
【発明の詳細な説明】
【技術分野】
【０００１】
本発明は、透析液供給装置及び血液浄化システムに関する。
【背景技術】
【０００２】
血液浄化システム（透析治療用セントラルシステム）において、透析液を調製し各透析装置（透析用監視装置）に供給する透析液供給装置が用いられている。透析液供給装置では、調製した透析液を貯槽に貯留し、貯槽内の透析液を各透析装置に供給する（例えば、特許文献１参照）。
【先行技術文献】
【特許文献】
【０００３】
【特許文献１】特開２００８−２３３２４号公報
【発明の概要】
【発明が解決しようとする課題】
【０００４】
透析液供給装置において、貯槽に透析液を長時間貯留すると、透析液の組成が変化し劣化してしまう。そのため、劣化した透析液を貯槽から排液する必要がある。しかしながら、排液される透析液は無駄となるため、透析液の排液量をできるだけ少なくすることが望まれる。
【０００５】
そこで、本発明は、透析液の排液量を低減可能な透析液供給装置及び血液浄化システムを提供することを目的とする。
【課題を解決するための手段】
【０００６】
上記課題を解決することを目的として、請求項１に係る発明は、供給された透析用水で透析液原液を希釈し透析液を調製する透析液調製部と、前記透析液調製部が調製した透析液を貯留する貯槽を有する透析液送液部と、前記貯槽内の液面高さが第１高さよりも低いときに前記透析液調製部による透析液の調製を開始させ、前記貯槽内の液面高さが前記第１高さよりも高い第２高さ以上となったとき透析液の調製を停止する制御部と、を備え、前記制御部は、前記貯槽内の透析液の劣化を判定するための所定の劣化判定条件を満たしたとき、前記貯槽内の透析液を強制排液する強制排液処理を行うように構成され、かつ、前記制御部は、前記強制排液処理の後、前記貯槽内の液面高さが、前記第１高さより高く前記第２高さより低い液面高さとなるように、前記透析液調製部に透析液を調製させる追加希釈処理を行うように構成されている、透析液供給装置を提供する。
【０００７】
請求項２に係る発明は、前記制御部は、前記透析液の調製の停止からの経過時間が所定の閾値以上となったとき、前記劣化判定条件を満たしたと判定する、請求項１に記載の透析液供給装置である。
【０００８】
請求項３に係る発明は、前記制御部は、前記追加希釈処理を行った後に、前記強制排液処理が行われることなく前記貯槽内の液面高さが第１高さよりも低くなったとき、前記第２高さまで透析液を貯留するように前記透析液調製部を制御する、請求項１または２に記載の透析液供給装置である。
【０００９】
請求項４に係る発明は、前記制御部は、前記追加希釈処理を行った後に、再び前記強制排液処理が行われた場合、当該強制排液処理後に再び前記追加希釈処理を行う、請求項１乃至３の何れか１項に記載の透析液供給装置である。
【００１０】
請求項５に係る発明は、前記貯槽内の前記第１高さに液体が存在するかを検出可能な第１液面検知センサと、前記貯槽内の前記第２高さに液体が存在するかを検出可能な第２液面検知センサと、を備え、前記制御部は、前記第１液面検知センサが液体を検知しないときに前記透析液調製部による透析液の調製を開始させ、前記第２液面検知センサが液体を検知したときに前記透析液調製部による透析液の調製を停止させる、請求項１乃至４の何れか１項に記載の透析液供給装置である。
【００１１】
請求項６にかかる発明は、前記制御部は、前記強制排液処理の際、前記第１液面検知センサで液体を検知しなくなるまで前記貯槽内の透析液を排出する、請求項５に記載の透析液供給装置である。
【００１２】
請求項７に係る発明は、供給される透析用水の流量を検出する給水流量計を備え、前記制御部は、前記追加希釈処理の際、前記給水流量計が検出する流量に基づき、前記追加希釈処理の際に前記貯槽に貯留する透析液の量を制御する、請求項１乃至６の何れか１項に記載の透析液供給装置である。
【００１３】
請求項８に係る発明は、請求項１乃至７の何れか１項に記載の透析液供給装置と、患者に透析治療を施すための血液浄化器に応じて複数設置され、前記透析液供給装置から供給された透析液を各血液浄化器に供給するための透析装置と、を備えた、血液浄化システムである。
【００１４】
請求項９に係る発明は、前記透析液供給装置は、前記各透析装置の稼働状況を検知できるように構成されており、前記制御部は、前記透析装置の稼働台数が０台であるとき、透析液の調整を停止する、請求項８に記載の血液浄化システムである。
【発明の効果】
【００１５】
請求項１，８に係る発明によれば、透析液の排液量を低減可能な透析液供給装置及び血液浄化システムを提供できる。
【００１６】
請求項２に係る発明によれば、透析液の劣化を容易に判定できる。
【００１７】
請求項３に係る発明によれば、追加希釈処理を行った後に透析液の使用量が増えた際に、透析液を第２高さまで貯留する通常時の制御に戻ることができる。
【００１８】
請求項４に係る発明によれば、強制排液処理が繰り返し行われる場合であっても、透析液の排液量を低減できる。
【００１９】
請求項５に係る発明によれば、貯槽内の液面高さを簡単な構成で検知でき、貯槽内に貯留する透析液の量を容易に制御できる。
【００２０】
請求項６に係る発明によれば、強制排液処理を容易に実現できる。
【００２１】
請求項７に係る発明によれば、前記追加希釈処理の際に貯槽に貯留する透析液の量を、液面検知センサを追加することなく制御可能になる。
【００２２】
請求項９に係る発明によれば、透析装置が稼働していない場合に、透析液を作り続けてしまうことが抑制され、透析液の無駄を抑制することが可能になる。
【図面の簡単な説明】
【００２３】
【図１】（ａ）は本発明の一実施の形態に係る血液浄化システムの概略構成図であり、（ｂ）は本発明の一実施の形態に係る透析液供給装置の概略構成図である。
【図２】（ａ），（ｂ）は、透析液供給装置の動作を説明する説明図である。
【図３】制御部の制御フローを示すフロー図である。
【図４】制御部の制御フローの一変形例を示すフロー図である。
【発明を実施するための形態】
【００２４】
［実施の形態］
以下、本発明の実施の形態を添付図面にしたがって説明する。
【００２５】
（血液浄化システム）
図１（ａ）は本実施の形態に係る血液浄化システムの概略構成図である。図１（ａ）に示すように、血液浄化システム１０は、本実施の形態に係る透析液供給装置１と、複数の透析装置（透析用監視装置）１１と、を備えている。
【００２６】
透析液供給装置１は、供給された透析用水を用いて所定濃度の透析液を調製し、調製した透析液を各透析装置１１に供給するものである。透析液供給装置１で調製された透析液は、透析液供給ライン１２を介して各透析装置１１に供給される。透析液供給装置１の詳細については後述する。
【００２７】
透析装置１１は、患者に透析治療を施すための血液浄化器（ダイアライザ、不図示）に応じて複数設置され、透析液供給装置１から供給された透析液を各血液浄化器に供給するためものである。血液浄化器から排出された老廃物等を含んだ透析液は、図示しない排液流路へと排出される。
【００２８】
本実施の形態に係る血液浄化システム１０では、信号線１３を介して、透析液供給装置１と各透析装置１１とが通信可能に構成されており、透析液供給装置１において、各透析装置１１の稼働状況を検知できるようになっている。なお、透析液供給装置１、各透析装置１１間の通信形態はこれに限定されず、例えば有線通信ではなく無線通信であってもよい。
【００２９】
（透析液供給装置１）
図１（ｂ）は本実施の形態に係る透析液供給装置１の概略構成図である。図１（ｂ）に示すように、透析液供給装置１は、透析液調製部２と、透析液送液部３と、制御部４と、を主に備えている。
【００３０】
透析液調製部２は、供給された透析用水で透析液原液を希釈し透析液を調製するものである。ここでは、透析液原液として、Ａ原液とＢ原液の２種類を用いる場合を説明する。透析液調製部２は、一端から透析用水が供給される送液ライン２１と、送液ライン２１に設けられ供給される透析用水の流量を検出する給水流量計２２と、送液ライン２１を開閉することで透析用水の供給の有無を切替可能な給水弁２３と、Ａ原液を貯留するＡ原液タンク２４からＡ原液を送液ライン２１に注入するＡ原液注入ポンプ２５と、Ｂ原液を貯留するＢ原液タンク２６からＢ原液を送液ライン２１に注入するＢ原液注入ポンプ２７と、を備えている。
【００３１】
給水弁２３は電磁弁からなり、制御部４により開閉制御される。なお、給水弁２３は、電動弁に置換可能である。Ａ原液注入ポンプ２５及びＢ原液注入ポンプ２７としては、例えば、チューブをしごいて液を流動させる蠕動型のポンプを用いることができる。Ａ原液注入ポンプ２５及びＢ原液注入ポンプ２７は、制御部４により制御される。制御部４は、給水流量計２２で検出した透析用水の供給量に応じて、Ａ原液及びＢ原液の注入量（Ａ原液注入ポンプ２５及びＢ原液注入ポンプ２７の吐出量）を制御することで、所定の濃度の透析液を調製する。給水弁２３を閉じると、給水流量計２２で検出される透析用水の供給量がゼロとなり、これに応じてＡ原液及びＢ原液の注入量もゼロとなり、透析液の調製（あるいは透析液の希釈）が停止される。つまり、制御部４は、給水弁２３の開閉により、透析液の調製の有無を制御する。
【００３２】
透析液送液部３は、透析液調製部２で調製した透析液を貯留する貯槽３１と、貯槽３１内の透析液を送液する送液ポンプ３２と、を有している。貯槽３１には、送液ライン２１の給水側と反対側の端部が接続されており、送液ライン２１から透析液が供給されるようになっている。また、貯槽３１には、各透析装置１１に透析液を供給するための透析液供給ライン１２が接続されている。送液ポンプ３２は、透析液供給ライン１２に設けられている。送液ポンプ３２の下流側の透析液供給ライン１２には、透析液供給ライン１２を開閉可能な送液弁３３が設けられている。また、一端が送液ポンプ３２と送液弁３３間の透析液供給ライン１２に接続され、他端が貯槽３１に接続された環流路３４が設けられている。
【００３３】
送液弁３３は電動弁からなり、制御部４により開閉制御される。送液ポンプ３２としては、例えば、チューブをしごいて液を流動させる蠕動型のポンプを用いることができる。送液ポンプ３２は、制御部４により制御される。本実施の形態では、送液ポンプ３２を常時駆動させ、送液弁３３を閉じた際、あるいは透析液の供給量が少ない場合には、送液ポンプ３２により送液された透析液の全部または一部を環流路３４を介して貯槽３１に戻すようにした。なお、送液弁３３は、電磁弁に置換可能である。
【００３４】
制御部４は、ＣＰＵ等の演算素子、メモリ、記憶装置、ソフトウェア、インターフェイス等を適宜組み合わせて実現される。制御部４は、貯槽３１内の液面高さが第１高さＬ１よりも低いときに透析液調製部２による透析液の調製を開始させ、貯槽３１内の液面高さが第１高さＬ１よりも高い第２高さＬ２以上となったとき透析液の調製を停止するように構成される。
【００３５】
本実施の形態では、貯槽３１の第１高さＬ１に設けられ貯槽内の第１高さＬ１に液体が存在するかを検出可能な第１液面検知センサ５と、貯槽３１における第２高さＬ２に設けられ、貯槽３１内の第２高さＬ２に液体が存在するかを検出可能な第２液面検知センサ６と、を備えている。第１及び第２液面検知センサ５，６としては、例えばフロートスイッチを用いることができる。
【００３６】
制御部４は、図２（ａ）に示すように、貯槽３１内の透析液が消費され、貯槽３１内の液面高さが低下し、第１液面検知センサ５が液体を検知しなくなったとき（液面高さが第１高さＬ１よりも低くなったとき）に、給水弁２３を開放して透析液の調製を開始させる。また、制御部４は、図２（ｂ）に示すように、貯槽３１内に透析液が供給され貯槽３１内の液面高さが上昇し、第２液面検知センサ６が液体を検知したとき（液面高さが第２高さＬ２以上となったとき）に、給水弁２３を閉塞して透析液の調製を停止させる。
【００３７】
（強制排液処理）
本実施の形態に係る透析液供給装置１では、制御部４は、貯槽３１内の透析液の劣化を判定するための所定の劣化判定条件を満たしたとき、貯槽３１内の透析液を強制排液する強制排液処理を行うように構成されている。制御部４は、強制排液処理の際、第１液面検知センサ５で液面を検知しなくなるまで（貯槽３１内の液面高さが第１高さＬ１よりも低くなるまで）貯槽３１内の透析液を排出する。図１（ｂ）では図示を省略しているが、貯槽３１には貯槽３１内の透析液を排出するための排出流路が接続されており、この排出流路に設けられた開閉弁を開放することで、貯槽３１内の透析液が排出される。開閉弁は電動弁であってもよいし、電磁弁であってもよい。
【００３８】
本実施の形態では、透析液の調製の停止から（透析液が第２高さＬ２まで溜められてから）の経過時間が所定の閾値以上となったときに、劣化判定条件を満たしたと判定するようにした。ただし、これに限らず、何らかの方法で透析液の組成の変化を検出し、透析液の組成の変化度合いにより透析液の劣化を判定するようにしてもよい。
【００３９】
（追加希釈処理）
強制排液処理後は、液面高さが第１高さＬ１よりも低くなるため、制御部４により給水弁２３が開放され、透析液の調製が開始されることになる。しかし、このとき、通常通り貯槽３１内の液面高さが第２高さＬ２となるまで（貯槽３１内が満水となるまで）透析液を調製すると、再び強制排液処理が行われた際に、透析液の無駄が多くなってしまう。
【００４０】
そこで、本実施の形態では、制御部４は、強制排液処理の後、貯槽３１内の液面高さが、第１高さＬ１より高く第２高さＬ２より低い液面高さとなるように、透析液調製部２に透析液を調製させる追加希釈処理を行うように構成されている。
【００４１】
つまり、本実施の形態では、強制排液処理が行われた後は、貯槽３１に貯留する透析液の量（透析液の調製量）を通常時よりも少なくしている。強制排液処理が行われた後は、透析液の使用量が少ない状態が継続し、再び強制排液処理が行われる可能性が高い。そのため、本実施の形態のように、強制排液処理後の透析液の調製量を少なくすることで、透析液が無駄に排液されてしまうことを抑制可能になる。
【００４２】
追加希釈処理の際に貯留する透析液の量は、給水流量計２２の検出値を基に制御されるとよい。つまり、制御部４は、追加希釈処理の際、給水弁２３を開放し、給水弁２３を開放してからの給水流量計２２で検出される流量の積算値が所定閾値以上となったとき、給水弁２３を閉塞することで、貯槽３１内への透析液の貯留を行うとよい。なお、例えば、第１及び第２液面検知センサ５，６の間に第３液面検知センサを設け、追加希釈処理の際に第３液面検知センサで液体が検知されるまで透析液を貯留するように構成することも可能であるが、この場合、第３液面検知センサを新たに設ける必要が生じる。本実施の形態のように、給水流量計２２の検出値を基に追加希釈処理の際に貯留する透析液の量を決定するよう構成することで、既存のハードウェア構成に変更を加えることなく、追加希釈処理を実現することができる。
【００４３】
追加希釈処理を行った後に、再び強制排液処理が行われた場合には、その後に再び強制排液処理が行われる可能性が高いため、再び追加希釈処理を行うように制御部４を構成することが望ましい。また、追加希釈処理を行った後に、強制排液処理が行われることなく貯槽３１内の液面高さが第１高さＬ１よりも低くなった場合には、第２高さＬ２まで透析液を貯留するように透析液調製部２を制御する（つまり通常時の制御に戻る）ように制御部４を構成するとよい。
【００４４】
本実施の形態では、追加希釈処理の際に貯留する透析液の量を一定の量としたが、例えば、強制排液処理が繰り返し行われた場合に、追加希釈処理の際に貯留する透析液の量を段階的に少なくするように制御部４を構成することも可能である。
【００４５】
（制御部４の制御フロー）
図３は、制御部４の制御フローを示すフロー図である。図３に示すように、透析液供給装置１を起動すると、制御部４は、まず、ステップＳ１にて、給水弁２３を開放して透析液の希釈（調製）を開始し、透析液の貯槽３１への貯留を開始する。その後、ステップＳ２にて、第２液面検知センサ６が液体を検知したかを判定する。ステップＳ２にてＮＯと判定された場合、ステップＳ２に戻り、貯槽３１内の液面高さが第２高さＬ２以上となるまで透析液の貯留を継続する。
【００４６】
ステップＳ２でＹＥＳと判定された場合、ステップＳ３にて、制御部４は、給水弁２３を閉塞して透析液の希釈（調製）を停止し、ステップＳ４にて、タイマをリセットしスタートする。その後、ステップＳ５にて、第１液面検知センサ５が液体を検知したかを判定する。ステップＳ５でＮＯと判定された場合、ステップＳ１に戻り、透析液の希釈（調製）を開始する。
【００４７】
ステップＳ５でＹＥＳと判定された場合、ステップＳ６にて、制御部４は、タイマが閾値Ｔ以上であるか（つまり劣化判定条件を満たすか）を判定する。ステップＳ６にてＮＯと判定された場合、ステップＳ５に戻る。
【００４８】
ステップＳ６にてＹＥＳと判定された場合、ステップＳ７にて、制御部４は、強制排液処理を行う。つまり、制御部４は、第１液面検知センサ５で液体が検知されなくなるまで、貯槽３１内の透析液を排液する。その後、ステップＳ８にて、制御部４は、追加希釈処理を行う。つまり、制御部４は、第１高さＬ１より高く第２高さＬ２より低い液面高さとなるように、透析液調製部２に透析液を調製させる。その後、ステップＳ４に戻る。
【００４９】
（変形例）
上述のように、透析液供給装置１は、各透析装置１１の稼働状況を検知できるように構成されているため、制御部４は、透析装置１１の稼働台数が０台であるときには、透析液の調整を停止するように構成されてもよい。この場合の制御フローを図４に示す。
【００５０】
図４の制御フローは、図３の制御フローにおけるステップＳ７とステップＳ８間に、透析装置１１の稼働台数が０台であるかを判定するステップＳ９を追加したものである。ステップＳ９にてＮＯと判定された場合、ステップＳ８に進む。ステップＳ９にてＹＥＳと判定された場合、ステップＳ９に戻り、透析装置１１の稼働台数が１台以上となるまで待つ。これにより、透析装置１１が稼働していない場合には、使用しない透析液を作り続けてしまうことが抑制され、透析液の無駄をより抑制することが可能になる。
【００５１】
（実施の形態の作用及び効果）
以上説明したように、本実施の形態に係る透析液供給装置１では、強制排液処理の後、貯槽３１内の液面高さが、第１高さＬ１より高く第２高さＬ２より低い液面高さとなるように、透析液調製部２に透析液を調製させる追加希釈処理を行っている。これにより、透析液の使用量が少ない時に透析液を作りすぎないようにして、透析液の排液量を低減することができ、透析液原液と透析用水の消費量を抑えられる。その結果、透析液原液を追加する作業が減り、操作者の負担を軽減できる。
【００５２】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５３】
［１］供給された透析用水で透析液原液を希釈し透析液を調製する透析液調製部（２）と、前記透析液調製部（２）が調製した透析液を貯留する貯槽（３１）を有する透析液送液部（３）と、前記貯槽（３１）内の液面高さが第１高さ（Ｌ１）よりも低いときに前記透析液調製部（２）による透析液の調製を開始させ、前記貯槽（３１）内の液面高さが前記第１高さ（Ｌ１）よりも高い第２高さ（Ｌ２）以上となったとき透析液の調製を停止する制御部（４）と、を備え、前記制御部（４）は、前記貯槽（３１）内の透析液の劣化を判定するための所定の劣化判定条件を満たしたとき、前記貯槽（３１）内の透析液を強制排液する強制排液処理を行うように構成され、かつ、前記制御部（４）は、前記強制排液処理の後、前記貯槽（３１）内の液面高さが、前記第１高さ（Ｌ１）より高く前記第２高さ（Ｌ２）より低い液面高さとなるように、前記透析液調製部（２）に透析液を調製させる追加希釈処理を行うように構成されている、透析液供給装置（１）。
【００５４】
［２］前記制御部（４）は、前記透析液の調製の停止からの経過時間が所定の閾値以上となったとき、前記劣化判定条件を満たしたと判定する、［１］に記載の透析液供給装置（１）。
【００５５】
［３］前記制御部（４）は、前記追加希釈処理を行った後に、前記強制排液処理が行われることなく前記貯槽（３１）内の液面高さが第１高さ（Ｌ１）よりも低くなったとき、前記第２高さ（Ｌ２）まで透析液を貯留するように前記透析液調製部（２）を制御する、［１］または［２］に記載の透析液供給装置（１）。
【００５６】
［４］前記制御部（４）は、前記追加希釈処理を行った後に、再び前記強制排液処理が行われた場合、当該強制排液処理後に再び前記追加希釈処理を行う、［１］乃至［３］の何れか１項に記載の透析液供給装置（１）。
【００５７】
［５］前記貯槽（３１）内の前記第１高さ（Ｌ１）に液体が存在するかを検出可能な第１液面検知センサ（５）と、前記貯槽（３１）内の前記第２高さ（Ｌ２）に液体が存在するかを検出可能な第２液面検知センサ（６）と、を備え、前記制御部（４）は、前記第１液面検知センサ（５）が液体を検知しないときに前記透析液調製部（２）による透析液の調製を開始させ、前記第２液面検知センサ（６）が液体を検知したときに前記透析液調製部（２）による透析液の調製を停止させる、［１］乃至［４］の何れか１項に記載の透析液供給装置（１）。
【００５８】
［６］前記制御部（４）は、前記強制排液処理の際、前記第１液面検知センサ（５）で液体を検知しなくなるまで前記貯槽（３１）内の透析液を排出する、［５］に記載の透析液供給装置（１）。
【００５９】
［７］供給される透析用水の流量を検出する給水流量計（２２）を備え、前記制御部（４）は、前記追加希釈処理の際、前記給水流量計（２２）が検出する流量に基づき、前記追加希釈処理の際に前記貯槽（３１）に貯留する透析液の量を制御する、［１］乃至［６］の何れか１項に記載の透析液供給装置（１）。
【００６０】
［８］［１］乃至［７］の何れか１項に記載の透析液供給装置（１）と、患者に透析治療を施すための血液浄化器に応じて複数設置され、前記透析液供給装置（１）から供給された透析液を各血液浄化器に供給するための透析装置（１１）と、を備えた、血液浄化システム（１０）。
【００６１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【符号の説明】
【００６２】
１…透析液供給装置
２…透析液調製部
２２…給水流量計
３…透析液送液部
３１…貯槽
３２…送液ポンプ
４…制御部
５…第１液面検知センサ
６…第２液面検知センサ
１０…血液浄化システム
１１…透析装置
【図１】
2020171403.tif 000003
【図２】
2020171403.tif 000004
【図３】
2020171403.tif 000005
【図４】
2020171403.tif 000006